【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有する画像形成方法において、
該像加熱部材は、
（ｉ）最表層として厚さ５乃至２００μｍの離型層を有しており、その下層として蓄熱層を有し、更にその下層として弾性層を有するローラであり、該蓄熱層の単位面積あたりの熱容量が１００乃至６００Ｊ／（ｍ2・Ｋ）であり、
（ｉｉ）外部加熱手段により最表層表面から加熱され、
（ｉｉｉ）熱伝導率５．０Ｗ／（ｍ・Ｋ）以上の熱伝導フィラーを含有し、該熱伝導フィラーはＡｌ及び／又はＺｎ化合物であり、
（ｉｖ）表面をＥＰＭＡ（電子線マイクロアナライザー）により測定した際、該熱伝導フィラーに由来するＡｌ及び／又はＺｎ元素の存在割合が、ＥＰＭＡで検出される全元素量に対して０．１０乃至３．００質量％であり、
該トナーは、
（ｉ）少なくとも結着樹脂、着色剤、ワックスを含有するトナー粒子と、無機微粉体とを有し、
（ｉｉ）熱刺激電流測定装置で１回目昇温時に測定される熱刺激電流の電流値が、６０乃至１００℃にメインピーク（Ｐ１）を有し、該Ｐ１を示す電流の絶対値が、０．１×１０-14乃至１０００．０×１０-14Ａであり、２回目昇温時に測定される熱刺激電流の電流値が、少なくとも６０乃至１１０℃にピーク（Ｐ２）を有し、該Ｐ１を示す温度Ｔ１（℃）と該Ｐ２を示す温度Ｔ２（℃）とが、
−１５≦Ｔ２−Ｔ１≦１５
の関係を満たす、
ことを特徴とする画像形成方法。
【請求項２】
該像加熱部材の表面粗さＲｚが１．０乃至１０．０μｍであることを特徴とする請求項１に記載の画像形成方法。
【請求項３】
該像加熱部材の離型層がフッ素ゴムを主成分とするソリッドゴム層であることを特徴とする請求項１又は２に記載の画像形成方法。
【請求項４】
該像加熱部材の蓄熱層の中に該熱伝導フィラーが１０乃至５０質量％で含有されることを特徴とする請求項１乃至３のいずれかに記載の画像形成方法。
【請求項５】
該像加熱部材のマイクロ硬度が３０乃至６８°であることを特徴とする請求項１乃至４のいずれかに記載の画像形成方法。
【請求項６】
該弾性層は、熱伝導率が０．１５Ｗ／（ｍ・Ｋ）以下であることを特徴とする請求項１乃至５のいずれかに記載の画像形成方法。
【請求項７】
該Ｐ１を示す電流の絶対値が、４．０×１０-14乃至６０．０×１０-14Ａであることを特徴とする請求項１乃至６のいずれかに記載の画像形成方法。
【請求項８】
該Ｔ１と該Ｔ２との関係が、
−１０≦Ｔ２−Ｔ１≦１０
であることを特徴とする請求項１乃至７のいずれかに記載の画像形成方法。
【請求項９】
該熱刺激電流測定において、２回目昇温時に測定される熱刺激電流の電流値が、少なくとも６０乃至１１０℃の範囲に、２つのピーク（Ｐ２、Ｐ３）を有し、高温側のピーク（Ｐ３）が８５℃以上に存在することを特徴とする請求項１乃至８のいずれかに記載の画像形成方法。
【請求項１０】
該Ｐ３を示す電流の絶対値が、１．０×１０-14乃至５０．０×１０-14Ａであることを特徴とする請求項９に記載の画像形成方法。
【請求項１１】
該Ｐ２を示す電流の絶対値が、１．０×１０-14乃至５０．０×１０-14Ａであることを特徴とする請求項９又は１０に記載の画像形成方法。
【請求項１２】
静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有しており、
該像加熱部材は、
（ｉ）最表層として厚さ５乃至２００μｍの離型層を有しており、その下層として蓄熱層を有し、更にその下層として弾性層を有するローラであり、該蓄熱層の単位面積あたりの熱容量が１００乃至６００Ｊ／（ｍ2・Ｋ）であり、
（ｉｉ）外部加熱手段により最表層表面から加熱され、
（ｉｉｉ）熱伝導率５．０Ｗ／（ｍ・Ｋ）以上の熱伝導フィラーを含有し、該熱伝導フィラーはＡｌ及び／又はＺｎ化合物であり、
（ｉｖ）表面をＥＰＭＡ（電子線マイクロアナライザー）により測定した際、該熱伝導フィラーに由来するＡｌ及び／又はＺｎ元素の存在割合が、ＥＰＭＡで検出される全元素量に対して０．１０乃至３．００質量％である画像形成方法に適用されるトナーであって、
該トナーは、
（ｉ）少なくとも結着樹脂、着色剤、ワックスを含有するトナー粒子と、無機微粉体とを有し、
（ｉｉ）熱刺激電流測定装置で１回目昇温時に測定される熱刺激電流の電流値が、６０乃至１００℃にメインピーク（Ｐ１）を有し、該Ｐ１を示す電流の絶対値が、０．１×１０-14乃至１０００．０×１０-14Ａであり、２回目昇温時に測定される熱刺激電流の電流値が、少なくとも６０乃至１１０℃にピーク（Ｐ２）を有し、該Ｐ１を示す温度Ｔ１（℃）と該Ｐ２を示す温度Ｔ２（℃）とが、
−１５≦Ｔ２−Ｔ１≦１５
の関係を満たすことを特徴とするトナー。
【手続補正２】
【補正対象書類名】明細書
【補正対象項目名】００１６
【補正方法】変更
【補正の内容】
【００１６】
静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有する画像形成方法において、
該像加熱部材は、
（ｉ）最表層として厚さ５乃至２００μｍの離型層を有しており、その下層として蓄熱層を有し、更にその下層として弾性層を有するローラであり、該蓄熱層の単位面積あたりの熱容量が１００乃至６００Ｊ／（ｍ2・Ｋ）であり、
（ｉｉ）外部加熱手段により最表層表面から加熱され、
（ｉｉｉ）熱伝導率５．０Ｗ／（ｍ・Ｋ）以上の熱伝導フィラーを含有し、該熱伝導フィラーはＡｌ及び／又はＺｎ化合物であり、
（ｉｖ）表面をＥＰＭＡ（電子線マイクロアナライザー）により測定した際、該熱伝導フィラーに由来するＡｌ及び／又はＺｎ元素の存在割合が、ＥＰＭＡで検出される全元素量に対して０．１０乃至３．００質量％であり、
該トナーは、
（ｉ）少なくとも結着樹脂、着色剤、ワックスを含有するトナー粒子と、無機微粉体とを有し、
（ｉｉ）熱刺激電流測定装置で１回目昇温時に測定される熱刺激電流の電流値が、６０乃至１００℃にメインピーク（Ｐ１）を有し、該Ｐ１を示す電流の絶対値が、０．１×１０-14乃至１０００．０×１０-14Ａであり、２回目昇温時に測定される熱刺激電流の電流値が、少なくとも６０乃至１１０℃にピーク（Ｐ２）を有し、該Ｐ１を示す温度Ｔ１（℃）と該Ｐ２を示す温度Ｔ２（℃）とが、
−１５≦Ｔ２−Ｔ１≦１５
の関係を満たす、
ことを特徴とする画像形成方法。
【手続補正３】
【補正対象書類名】明細書
【補正対象項目名】００１７
【補正方法】変更
【補正の内容】
【００１７】
静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有しており、
該像加熱部材は、
（ｉ）最表層として厚さ５乃至２００μｍの離型層を有しており、その下層として蓄熱層を有し、更にその下層として弾性層を有するローラであり、該蓄熱層の単位面積あたりの熱容量が１００乃至６００Ｊ／（ｍ2・Ｋ）であり、
（ｉｉ）外部加熱手段により最表層表面から加熱され、
（ｉｉｉ）熱伝導率５．０Ｗ／（ｍ・Ｋ）以上の熱伝導フィラーを含有し、該熱伝導フィラーはＡｌ及び／又はＺｎ化合物であり、
（ｉｖ）表面をＥＰＭＡ（電子線マイクロアナライザー）により測定した際、該熱伝導フィラーに由来するＡｌ及び／又はＺｎ元素の存在割合が、ＥＰＭＡで検出される全元素量に対して０．１０乃至３．００質量％である画像形成方法に適用されるトナーであって、
該トナーは、
（ｉ）少なくとも結着樹脂、着色剤、ワックスを含有するトナー粒子と、無機微粉体とを有し、
（ｉｉ）熱刺激電流測定装置で１回目昇温時に測定される熱刺激電流の電流値が、６０乃至１００℃にメインピーク（Ｐ１）を有し、該Ｐ１を示す電流の絶対値が、０．１×１０-14乃至１０００．０×１０-14Ａであり、２回目昇温時に測定される熱刺激電流の電流値が、少なくとも６０乃至１１０℃にピーク（Ｐ２）を有し、該Ｐ１を示す温度Ｔ１（℃）と該Ｐ２を示す温度Ｔ２（℃）とが、
−１５≦Ｔ２−Ｔ１≦１５
の関係を満たすことを特徴とするトナー。